【事件の表示】
　上記当事者間の登録第５０４６５５８号商標の登録取消審判事件について、次のとおり審決する。
【結　論】
　本件審判の請求は、成り立たない。
　審判費用は、請求人の負担とする。
【理　由】
第１　本件商標
　本件登録第５０４６５５８号商標（以下「本件商標」という。）は、「よか」の文字を標準文字で表してなり、平成１８年７月２０日に登録出願され、第３類「せっけん類，化粧品」、第２１類「化粧用具」及び第２５類「ずきん，ターバン」を指定商品として、同１９年５月１１日に設定登録されたものである。
　そして、本件審判の請求の登録日は、平成２７年３月１１日である。
第２　請求人の主張
　請求人は、商標法第５０条第１項の規定により、本件商標の指定商品中、第３類「全指定商品」について登録を取り消す。審判費用は被請求人の負担とする、との審決を求め、その理由及び答弁に対する弁駁を要旨次のように述べた。
　１　請求の理由
　本件商標は、その指定商品中、第３類「全指定商品」について、継続して３年以上日本国内において、商標権者、専用使用権者又は通常使用権者のいずれも使用した事実が存しないから、商標法第５０条第１項の規定により取り消されるべきである。
　２　答弁に対する弁駁
（１）乙第１号証によれば、商品「せっけん」の包装に「然／よかせっけん」という標章（以下「使用商標１」という。）が付されていた事実が認められる。この標章は被請求人が業として販売する商品の包装に付されたものであることから商標として使用するものといえる。
　使用商標１は、包装の略中央に「然」の文字を比較的大きく配置し、その下に「よかせっけん」の文字を比較的小さく配置したものである。
　使用商標１は、文字の配置及びバランスの観点から「然」の文字が支配的であり、対して「よかせっけん」の文字は、極めて主張が弱く、従属的な印象を与える態様となっている。
　したがって、使用商標１は、「然」の文字を要部として称呼や観念が生じるということができる。
　そもそも「よか」にはその後に続く名詞を修飾する形容詞的な機能があり、使用商標１の「よかせっけん」のように同一の書体で一連の語として表示された場合には「良い石けん」、「優れた石けん」という商品の質を連想させるにとどまり、出所識別標識としての機能は到底期待し得ないものである。
　以上述べたように、使用商標１と本件商標は、同一の称呼及び観念を生ずる商標のような関係にはないことから、両商標の間には商標としての同一性は存在せず、また、商標法第５０条第１項に規定する社会通念上の同一性も存在しない。
（２）乙第３号証によれば、商品「せっけん」の包装に「つかってみんしゃい／よか石けん」という標章（以下「使用商標２」という。）が、商品「化粧品」の包装容器に「つかってみんしゃい／よかぼんたん」という標章（以下「使用商標３」という。）が、商品「化粧品」の包装容器に「つかってみんしゃい／よか和蜜発酵」という標章（以下「使用商標４」という。）が、商品「化粧品」の包装容器に「つかってみんしゃい／よか白繭」という標章（以下「使用商標５」という。）が付されていた事実が認められ、これらの標章は被請求人が業として販売する商品の包装に付されたものであることから、商標として使用するものであるといえる。
　使用商標２ないし使用商標５は、「つかってみんしゃい」の文字と「よか石けん」、「よかぼんたん」、「よか和蜜発酵」又は「よか白繭」の文字が何れも同一の書体かつ略同じ大きさで表記されており、「よか」の文字のみ白黒反転させた表記となっている。
　「つかってみんしゃい」と「よか」の文字を比較すると、後者は文字色を反転させて他の文字との差別化を図る態様となっているが、この程度であれば普通に用いられる手法にすぎず、（１）で述べたように商品の質を連想させるにとどまり、出所識別標識としての機能は期待し得ない。
　使用商標２ないし使用商標５は、より注意をひくであろう上段に比較的長い文字列の「つかってみんしゃい」と表記されており、こちらの方に出所識別標識としての機能があると考えるのが自然である。
　したがって、使用商標２ないし使用商標５は、「つかってみんしゃい」を要部として、又は「つかってみんしゃい」＋「よか」を要部として称呼や観念が生じるということができる。
　以上述べたように、使用商標２ないし使用商標５と本件商標は、同一の称呼及び観念を生ずる商標のような関係にはないことから、両商標の間には商標としての同一性は存在せず、また、商標法第５０条第１項に規定する社会通念上の同一性も存在しない。
第３　被請求人の主張
　被請求人は、結論同旨の審決を求めると答弁し、その理由を要旨以下のように述べ、証拠方法として、乙第１号証ないし乙第４号証を提出した。
　１　せっけん類に対して（２０１４年１０月１日における使用について）
（１）せっけんに対して「よか」の使用について
　乙第１号証は、「よかせっけん」という商品名をつけたせっけんが２０１４年度のグッドデザイン賞を受賞した旨を公示したＷｅｂページを印刷したものである。
　このＷｅｂページは、グッドデザイン賞を主催する団体（＝公益財団法人日本デザイン振興会）の公式なＷｅｂページであり、被請求人による改変等が不可能なものである。
　乙第１号証の第１ページの写真には、４つの商品が記載され、このうち、左から２つめのものがせっけんである。
　この商品には、「よかせっけん」との記載があることが明確に読み取れる。
　したがって、せっけんに「よか」の標章を付して使用していることが証明される。
（２）使用の時期の証明
　乙第２号証は、２０１４年度のグッドデザイン賞の受賞結果が発表された日についての記述のあるＷｅｂページを印刷したものである。
　乙第２号証の第１ページには、真ん中から少し上の行に２０１４年度の発表が１０月１日に行われたことが記載されている。
　したがって、当該使用は少なくとも２０１４年１０月１日及びその前には使用されていたことが証明される。
（３）小結論
　以上より、少なくとも、２０１４年１０月１日及びその前には、せっけんに「よか」の標章を付して使用していたことが証明される。
　２　せっけん類に対して（２０１３年の冬から２０１４年１月３１日までにおける使用について）
（１）せっけんに対して「よか」の使用について
　乙第３号証は、２０１４年の正月に頒布したパンフレットの表面の写しであり、乙第４号証は、乙第３号証のパンフレットの裏面の写しである。
　乙第３号証の下側中央の画像を拡大し右に９０度回転した画像（審判事件答弁書３頁上部）からは「よか」という標章がせっけん類の容器に付されて使用されていることが証明される。
（２）使用の時期の証明
　乙第３号証及び乙第４号証のパンフレットが、２０１３年の冬頃から２０１４年１月３１日までの間のものであることを述べる。
　乙第３号証の上側左側の画像を拡大し右に９０度回転した画像（審判事件答弁書３頁下部）には、このパンフレットの有効期限が２０１４年１月３１日であることが記載され、さらに、乙第４号証の中央の画像を拡大し右に９０度回転した画像（審判事件答弁書４頁上部）には、「迎春」及び「新年、明けましておめでとうございます。」との記載がある。
　これらの画像をまとめると、２０１４年１月３１日の期限のパンフレットであったこと、頒布がお正月にされたことが確実である。
　他方、この手の期限は、通常数ヶ月間の期間としている。
　したがって、このパンフレットは、２０１３年の冬ごろから２０１４年１月３１日の前までに頒布されたパンフレットであることが証明される。
（３）小結論
　以上より、少なくとも、２０１３年の冬頃から２０１４年１月３１日、せっけんに「よか」の標章を付して使用していたことが証明される。
　３　化粧品に対して（２０１３年の冬から２０１４年１月３１日までにおける使用について）
（１）化粧品に対して「よか」の使用について
　乙第３号証の下側中央の画像を拡大し右に９０度回転した画像（審判事件答弁書５頁上部）からは、クレンジングの容器に「よか」の標章が付されていることが明確に分かる。
　また、乙第３号証のほぼ中央の画像を拡大し右に９０度回転した画像（審判事件答弁書５頁中部）からは、化粧水の容器及び美容液の容器に「よか」の標章が付されていることが明確に分かる。
　そして、クレンジング、化粧水、美容液はいずれも化粧品の一分野である。
（２）使用の時期の証明
　上記２（２）のとおり、これらの画像が付されたパンフレットは、２０１３年の冬頃から２０１４年１月３１日のものである。
（３）小結論
　以上より、少なくとも、２０１３年の冬頃から２０１４年１月３１日、化粧品に「よか」の標章を付して使用していたことが証明される。
　４　結論
　以上より、第３類の全指定商品である「せっけん類」及び「化粧品」の両方について、審判請求の前より、「よか」が使用されていたことが証明される。
第４　当審の判断
　１　被請求人の主張及び提出された証拠によれば、以下の事実が認められる。
（１）乙第３号証はパンフレットであるところ、中央部右下に、クレンジングオイル、石けん、化粧水及び美容液の写真が掲載され、次の記載等がある。
　ア　クレンジングオイルの容器には、中央上部に「つかってみんしゃい」の文字、黒塗り楕円形内に白抜きした「よか」の文字と「ぼんたん」の文字及び「くれんじんぐオイル」の文字が３段に横書きされ、下部に「長寿の里」の文字が横書きされている。
　イ　せっけんの容器には、「つかってみんしゃい」の文字、黒塗り楕円形内に白抜きした「よか」の文字と「せっけん」の文字及び「長寿の里」の文字が３段に横書きされている。
　ウ　化粧水の容器には、中央上部に「つかってみんしゃい」の文字、黒塗り楕円形内に白抜きした「よか」の文字と「和蜜発酵」の文字及び「化粧水」の文字が３段に横書きされ、下部に「長寿の里」の文字が横書きされている。
　エ　美容液の容器には、中央上部に「つかってみんしゃい」の文字、黒塗り楕円形内に白抜きした「よか」の文字と「白繭」の文字及び「美容液」の文字が３段に横書きされ、下部に「長寿の里」の文字が横書きされている。
　オ　石けん、クレンジングオイル、化粧水及び美容液の写真の横に、「注文番号９６６−２５０５２（ジャータイプ）」の記載があり、その下に、「よか４点セット」「ぼんたんくれんじんぐオイル（１５０ｍＬ）＋医薬部外品よか石けん（８０ｇ）＋よか和蜜発酵化粧水（１５０ｍＬ）＋よか白繭美容液（３０ｇ）」の文字及び金額の記載がある。
（２）乙第３号証の左側には、「郵便往復はがき（返信）」の記載、返信用はがきの宛名面に「神奈川県横浜市西区みなとみらい３―６―３　ＭＭパークビル１２階　長寿の里」の記載、「料金受取人払郵便」及び「差出有効期限平成２７年２月２８日まで有効（切手不要）」の記載等がある。
（３）乙第４号証は、乙３号証の裏面であるところ、左側には、「お得意様限定」、「５，０００円(税込）以上ご購入で」、「新春２大キャンペーン」、「キャンペーン期間　２０１４年１月３１日金（当日消印有効）」の記載等がある。
（４）乙第４号証の中央には、「郵便往復はがき（往信）」の記載、「迎春　新年、明けましておめでとうございます。」の記載等がある。
（５）乙第４号証の右側には、「ご注文ハガキ」、「期間　１月３１日金」の記載、「注文番号」の欄に「９６６−２５０５２」の記載並びに「商品名」の欄に「よか４点セット」、「ジャータイプ」及び「・ぼんたんくれんじんぐオイル　・よか石けん　・よか和蜜発酵化粧水　・よか白繭美容液」の記載等がある。
　２　上記１で認定した事実によれば、以下のとおり判断することができる。
（１）使用商標について
　ア　上記１（１）のとおり、乙第３号証のパンフレットには、クレンジングオイル、石けん、化粧水、美容液の写真等が掲載され、それらの各商品の包装容器には、「つかってみんしゃい」の文字とその下段には、黒塗り楕円形内に白抜きで表した「よか」の文字と「ぼんたん」、「石けん」、「和蜜発酵」又は「白繭」の文字を横書きした表示があるところ、「よか」の文字部分は、黒塗り楕円形内に白抜きで表してなるから、他の文字とは分離して把握されるものである。そして、「つかってみんしゃい」の文字は「使ってみなさい」程の意味を容易に理解させる語であり、また、「ぼんたん」、「石けん」、「和蜜発酵」又は「白繭」の文字は商品名や原材料名を表したものと理解せるものであるから、自他商品の識別標識としての機能が強いものとはいえず、「よか」の文字部分が自他商品の識別標識として強く印象付けられるといえる。さらに、パンフレットにおいて、これらのクレンジングオイル、石けん、化粧水、美容液を合わせて「よか４点セット」として宣伝、販売しているから、「よか」の文字部分が自他商品の識別標識として認識されると判断するのが相当である。
　以下、「『よか』の文字を黒塗り楕円形内に白抜きで表したもの」を「使用商標」という。
　イ　本件商標は、前記第１のとおり、「よか」の文字からなるものであるところ、使用商標は、本件商標と「よか」の構成文字を共通にするから、社会通念上同一と認められる商標といえる。
（２）使用商品について
　乙第３号証のパンフレットに掲載された各商品の容器には、いずれも被請求人の名称と同視できる「長寿の里」の文字が表示されているから、パンフレットに掲載されている商品は被請求人の商品と認められ、さらに、使用商標が表示されているから、使用商品は、クレンジングオイル、石けん、化粧水及び美容液であり、これらは、本件商標の指定商品「せっけん類、化粧品」の範ちゅうに属する商品である。
（３）使用者及び使用時期等について
　上記１（２）ないし（５）からすれば、乙第３号証及び乙第４号証のパンフレットは、２０１４年お正月キャンペーンの商品紹介パンフレット及び商品の注文用はがき（郵便往復はがき形式のもの）であり、また、該注文用はがきは、被請求人の商品であるクレンジングオイル、石けん、化粧水、美容液をセットにした商品「よか４点セット」などに関する事項を内容とするものであることから、該パンフレットは、宣伝用と商品注文用（取引書類）を兼ねたものと認められる。
　そして、返信用はがきの宛名が「神奈川県横浜市西区みなとみらい３―６―３　ＭＭパークビル１２階　長寿の里」となっているから、該パンフレットは、被請求人が作成したものであって、乙第４号証には、「キャンペーン期間　２０１４年１月３１日金（当日消印有効）」、「迎春　新年、明けましておめでとうございます。」及び「お得意様限定」等の記載があることからすると、遅くとも２０１４年（平成２６年）の年始めには使用され、得意先等に頒布されたものとみて差し支えない。
（４）まとめ
　以上のことからすれば、被請求人は、本件審判の請求の登録前３年以内（以下「要証期間内」という。）である平成２６年１月頃に、日本国内において、「せっけん類、化粧品」の範ちゅうに属する商品「クレンジングオイル、石けん、美容液、化粧水」に関するパンフレットに、本件商標と社会通念上同一の標章を付して頒布したとみるのが自然である。
　そして、被請求人による上記行為は、「商品に関する広告及び取引書類に標章を付して頒布する行為」（商標法第２条第３項第８号）に該当するものである。
　３　請求人の主張について
　請求人は、「そもそも『よか』にはその後に続く名詞を修飾する形容詞的な機能があり、使用商標１の『よかせっけん』のように同一の書体で一連の語として表示された場合には『良い石けん』、『優れた石けん』という商品の質を連想させるに止まり、出所識別標識としての機能は到底期待し得ないものである」旨、主張をしている。
　しかしながら、「よか」の語は、「善か：形容詞『よい』の九州方言。」（広辞苑第六版）の意味を有するものであるとしても、「よか」の語が、「せっけん類」及び「化粧品」等を取り扱う分野で、良い商品、優れた商品を示すものとして一般に使用されているという証拠はなく、請求人においてもそのような実情を示すものは、提出されていない。
　そうとすれば、「よか」は、商品の品質を直接的かつ具体的に認識させるものとまではいえないから、請求人の主張は、採用することができない。
　４　むすび
　以上のとおり、被請求人は、要証期間内に日本国内において、商標権者が本件審判の請求に係る指定商品について、本件商標（社会通念上同一と認められる商標を含む。）の使用をしていたことを証明したものと認められる。
　したがって、本件商標の登録は、本件審判の請求に係る指定商品、第３類「全指定商品」について、商標法第５０条の規定により、取り消すことができない。
　よって、結論のとおり審決する。